(57)【要約】【課題】従来、屋根地の換気通路を跨架し、棟方向に長い、横長中空箱状のボックスを、ボックスの両側面の外方に拡開傾斜状とした下地ボックスと、下地ボックスの外側に設けた多段ののし瓦の立上部を釘止め係止する複数本の突条と、最上段ののし瓦と、ボックスの上面に釘止めする冠瓦とでなる乾式棟構造がある。この発明は、葺土を使用せず、棟部の軽量化と、又は経時劣化をなくし、また施工作業の容易な棟構造を提案する。【構成】本発明は、屋根地の棟部の長手方向に、適宜間隔で立設された支持部材と、支持部材に、それぞれ架承したのし瓦緊結用の対の横木を支持する鞍部材と、鞍部材の両端に支持した横木に緊締される複数段ののし瓦の基端側に設けた立上部と、のし瓦の裏面に設けた複数のリブ片と、リブ片と棟部の瓦との間に設けた換気空間形成兼雨水遡上防止用の部材と、棟木及び／又はのし瓦に葺設した冠瓦とでなる耐震・耐風用の乾式棟構造である。【選択図】図１
2008214939.tif 000002
【特許請求の範囲】
【請求項１】
屋根地の棟部の長手方向（棟方向）に、適宜間隔で立設された略細長山型の支持部材と、この支持部材に、それぞれ架承したのし瓦緊結用の対の横木を支持する略鞍型の鞍部材と、この鞍部材の両端に支持した前記横木に緊締される複数段ののし瓦の基端側に設けた立上部と、前記のし瓦の裏面に設けた複数のリブ片と、このリブ片と棟部の瓦との間に設けた換気空間形成兼雨水遡上防止用の部材と、前記棟木及び／又は最上段の前記のし瓦に葺設した冠瓦とで構成される棟構造。
【請求項２】
請求項１に記載の棟構造であって、
前記屋根地の棟部に換気吸込通路を形成するために、この棟部の両先端間に空間を形成する構造とした棟構造。
【請求項３】
請求項１に記載の棟構造であって、
前記鞍部材は、棟部の長手方向（棟方向）に、適宜間隔で立設された複数個の支持部材に、それぞれ架承し、この複数個の鞍部材間に、前記棟木を架承し、この棟木と、前記鞍部材、並びに支持部材を、緊締具で固止する構造とした棟構造。
【請求項４】
請求項１に記載の棟構造であって、
前記のし瓦の基端側に設けた立上部を、前記横木に釘止め又は接着、葺設等により設ける際に、この立上部の上面に設けた楔傾斜面が、この立上部の裏面に設けた楔凹部に喰込み可能とする構造とした棟構造。
【請求項５】
請求項１に記載の棟構造であって、
前記横木に、のし瓦の立上部を取付ける際の目印を、一箇所又は数箇所に亘り付設する構造とした棟構造。
【請求項６】
請求項１に記載の棟構造であって、
前記のし瓦の基端側に設けた立上部の内側（棟芯側）の寸法と、のし瓦の垂れ部の外側（軒先側）の寸法を略均等とし、複数段ののし瓦が、姿勢よく、略ハの字形に葺設される構造とした棟構造。
【請求項７】
請求項１に記載の棟構造であって、
前記支持部材に架承した鞍部材に、対の横木の上面挾持片を備えた挾持部材を載架し、この上面挾持片と、前記鞍部材、並びに支持部材を、緊締具で固止する構造とした棟構造。
【請求項８】
請求項７に記載の棟構造であって、
前記上面挾持片の両端部に、釘孔、ビス孔等の小孔を開設する構造とした棟構造。
【発明の詳細な説明】
【技術分野】
【０００１】
本発明は、大棟、隅棟等の棟構造に関する。
【背景技術】
【０００２】
この棟構造に関しては、種々の構造又は工法が提案されている。
【０００３】
文献（１）は、特開２００３−２１３８４３の「簡易棟用下地ボックス及び該簡易棟用下地ボックスを使用する棟構造」である。この発明は、屋根地の換気通路を跨架するように（跨ぐように）設けた、棟方向に長い形状であって、横長中空箱状のボックスを利用した棟構造であり、このボックスの両側面を外方（軒際側）に向かって拡開傾斜状とした下地ボックスと、この下地ボックスの外側に設けたのし瓦の立上部を係止する複数本の突条と、この下地ボックスの両側面にのし瓦の立上部を釘止め固止し、最上段ののし瓦と、前記ボックスの上面に冠瓦を葺設かつ釘止めする乾式構造であり、葺土を使用せずに外観を従来の棟部と同様に仕上げること、棟部の軽量化を図ること、又は経時劣化せず、施工作業が容易な棟構造を提案する。
【０００４】
また文献（２）は、特開２００３−３０１５６４の「面戸瓦、熨斗瓦、及び棟部の瓦組構造」である。この発明は、屋根地の換気通路を跨架するように設けた支持体と、支持体の両側面と、棟部の瓦（棟下桟瓦）との間に葺設される面戸瓦と、この面戸瓦と前記支持体に、その立上部を固定した複数段ののし瓦を葺設し、この最上段ののし瓦と、前記支持体の上面に冠瓦を葺設かつ釘止めする乾式構造であり、耐震、耐風特性を備えた棟構造の提供と、棟部に雨水が浸入するのを防ぐ、面戸瓦、及び熨斗瓦を提供すること、また換気棟で、かつ建築コストが安く済む棟部の瓦組構造を提供すること等を意図する。
【０００５】
さらに文献（３）は、特開平１１−１８１９６５の「棟構造と、この棟構造に使用する棟コア」である。この発明は、屋根地の換気通路を跨架するように設けた略倒Ｕ字形の棟コアと、棟コア及び葺土に設けられる台のし瓦、多数ののし瓦及び丸瓦と、棟コアの立上壁に開設する換気孔及び換気口と、換気口が連通する屋根板と棧瓦の裏面の隙間と、換気孔に設けたパイプを利用して屋根裏の空気を換気する構成であり、棟コアと、葺土及び／又は換気通路とを有効利用し、十分な換気効果及び耐震効果が期待できる換気機能を備えた耐震棟を、簡易に葺設できる構造を提供すること意図する。
【０００６】
【特許文献１】特開２００３−２１３８４３
【特許文献２】特開２００３−３０１５６４
【特許文献３】特開平１１−１８１９６５
【発明の開示】
【発明が解決しようとする課題】
【０００７】
文献（１）、文献（２）の発明は、従来の棟芯（棟木）支持体と棟木、並びにのし瓦支持木（横木）とを利用した乾式棟構造に比較し、耐震、耐風特性を備えた棟構造を提供できる特徴がある。しかし、この文献（１）は、屋根地の棟部に設置されるボックスを介して、多数段ののし瓦と、こののし瓦の上に葺設する冠瓦とを支持する構造であり、全く構造の異なるボックスを採用することから、このボックスを製造する特殊な加工装置（新たな設備投資）を要すること、また設備及び／又は材料の手当を要すること等の問題点が考えられる。そして、またこのボックスを使用する葺設工事は、従来の棟構造とは、全く違う装置及び／又は葺設作業を伴うことから、違和感があると考えられる。また文献（２）は、従来の棟構造と同様に、面戸瓦を必要とすることから、面倒である。さらに文献（２）は、棟木と横木を平行に設置するには、複数本の固定ボルト、ナット及び／又はワッシャとを利用し、いちいち調節する必要があり、かなりの手間と熟練を要し、施工に時間を必要とするとともに、新たな経験と、技術とを有することから、その改良が望まれる。
【０００８】
また文献（３）は、略倒Ｕ字形の棟コアを利用した棟構造であり、この棟コアの成形に関する手間を要すること、またこの棟コアの加工（成型）装置の製作に対し、新たな設備投資及び／又は期間を要すること等の改良点が考えられる。またこの文献（３）は、乾式工法でないので、棟の軽量化と、施工の容易化等を考えた場合に、改良すべき問題を抱えていると考えられる。
【０００９】
上記に鑑み、本発明は、次のような目的を達成することを意図する。
Ａ）  従来の面戸瓦の葺設を不要とし、施工の簡便化及び／又は短縮化と、コストの低廉化等を図ること（請求項１・３）、
Ｂ）  のし瓦を固止する横木の支持を、棟部に設けた支持部材及び／又は鞍部材を利用し、支持する構造としたので、耐震・耐風棟構造を提供できること（請求項１）、
Ｃ）  冠瓦は、棟部に設けた支持部材及び／又は鞍部材を利用し、葺設する構造としたので、耐震・耐風棟構造を提供できること（請求項１・３）、
Ｄ）  換気吸込通路を介して棟を構築し、かつのし瓦の裏面にリブ片を突設するとともに、棟部の当木との間に空間を形成する構造としたので、換気棟として有益な棟構造を提供できる（請求項２）、
Ｆ）  のし瓦の基端側に設けた立上部を、横木に釘止め又は接着、葺設等するとともに、立上部の楔傾斜面と、立上部の裏面に設けた楔凹部とが楔関係を形成する構造としたので、耐震・耐風棟構造を提供できること（請求項４）、
Ｇ）  横木に、のし瓦ガイドラインを設ける構造とし、のし瓦を整然と、かつ簡易に施工（葺設）できる耐震・耐風棟構造を提供できること（請求項５）、
Ｈ）  のし瓦の基端側に設けた立上部の内側（棟芯側）の寸法と、のし瓦の垂れ部の外側（軒先側）の寸法を略均等とし、複数段ののし瓦が、姿勢よく、略ハの字形に葺設される棟構造を提供できる（請求項６）、
Ｉ）  棟部に設けた支持部材及び／又は鞍部材、並びに鞍部材の上面挾持片を利用し、横木を挾持する構造としたので、耐震・耐風棟構造を提供できること（請求項７）。
【課題を解決するための手段】
【００１０】
請求項１の発明は、次のようなことを意図する。
Ａ）  従来の面戸瓦の葺設を不要とし、施工の簡便化及び／又は短縮化と、コストの低廉化等を図ること、
Ｂ）  のし瓦を固止する横木の支持を、棟部に設けた支持部材及び／又は鞍部材を利用し、支持する構造とし、耐震・耐風棟構造を提供すること、
Ｃ）  冠瓦は、棟部に設けた支持部材及び／又は鞍部材を利用し、葺設する構造とし、耐震・耐風棟構造を提供すること。
【００１１】
従って、請求項１は、屋根地の棟部の長手方向（棟方向）に、適宜間隔で立設された略細長山型の支持部材と、この支持部材に、それぞれ架承したのし瓦緊結用の対の横木を支持する略鞍型の鞍部材と、この鞍部材の両端に支持した前記横木に緊締される複数段ののし瓦の基端側に設けた立上部と、前記のし瓦の裏面に設けた複数のリブ片と、このリブ片と棟部の瓦との間に設けた換気空間形成兼雨水遡上防止用の部材と、前記棟木及び／又は最上段の前記のし瓦に葺設した冠瓦とで構成される棟構造である。
【００１２】
請求項２の発明は、次のようなことを意図する。
Ｄ）  換気吸込通路を介して棟を構築し、かつのし瓦の裏面にリブ片を突設するとともに、棟部の当木との間に空間を形成する構造とし、換気棟として有益な棟構造を提供すること。
【００１３】
従って、請求項２は、請求項１に記載の棟構造であって、
前記屋根地の棟部に換気吸込通路を形成するために、この棟部の両先端間に空間を形成する構造とした棟構造である。
【００１４】
請求項３の発明は、次のようなことを意図する。
Ａ）  従来の面戸瓦の葺設を不要とし、施工の簡便化及び／又は短縮化と、コストの低廉化等を図ること、
Ｃ）  冠瓦は、棟部に設けた支持部材及び／又は鞍部材を利用し、葺設する構造とし、耐震・耐風棟構造を提供すること。
【００１５】
従って、請求項３は、請求項１に記載の棟構造であって、
前記鞍部材は、棟部の長手方向（棟方向）に、適宜間隔で立設された複数個の支持部材に、それぞれ架承し、この複数個の鞍部材間に、前記棟木を架承し、この棟木と、前記鞍部材、並びに支持部材を、緊締具で固止する構造とした棟構造である。
【００１６】
請求項４の発明は、次のようなことを意図する。
Ｆ）  のし瓦の基端側に設けた立上部を、横木に釘止め又は接着、葺設等するとともに、立上部の楔傾斜面と、立上部の裏面に設けた楔凹部とが楔関係を形成する構造としたので、耐震・耐風棟構造を提供すること。
【００１７】
従って、請求項４は、請求項１に記載の棟構造であって、
前記のし瓦の基端側に設けた立上部を、前記横木に釘止め又は接着、葺設等により設ける際に、この立上部の上面に設けた楔傾斜面が、この立上部の裏面に設けた楔凹部に喰込み可能とする構造とした棟構造である。
【００１８】
請求項５の発明は、次のようなことを意図する。
Ｇ）  横木に、のし瓦ガイドラインを設ける構造とし、のし瓦を整然と、かつ簡易に施工（葺設）できる耐震・耐風棟構造を提供すること（請求項５）。
【００１９】
従って、請求項５は、請求項１に記載の棟構造であって、
前記横木に、のし瓦の立上部を取付ける際の目印を、一箇所又は数箇所に亘り付設する構造とした棟構造である。
【００２０】
請求項６の発明は、次のようなことを意図する。
Ｈ）  のし瓦の基端側に設けた立上部の内側（棟芯側）の寸法と、のし瓦の垂れ部の外側（軒先側）の寸法を略均等とし、複数段ののし瓦が、姿勢よく、略ハの字形に葺設される棟構造を提供すること（請求項６）。
【００２１】
従って、請求項６は、請求項１に記載の棟構造であって、
前記のし瓦の基端側に設けた立上部の内側（棟芯側）の寸法と、のし瓦の垂れ部の外側（軒先側）の寸法を略均等とし、複数段ののし瓦が、姿勢よく、略ハの字形に葺設される構造とした棟構造である。
【００２２】
請求項７の発明は、次のようなことを意図する。
Ｉ）  棟部に設けた支持部材及び／又は鞍部材、並びに鞍部材の上面挾持片を利用し、横木を挾持する構造とし、耐震・耐風棟構造を提供すること（請求項７）。
【００２３】
従って、請求項７は、請求項１に記載の棟構造であって、
前記支持部材に架承した鞍部材に、対の横木の上面挾持片を備えた挾持部材を載架し、この上面挾持片と、前記鞍部材、並びに支持部材を、緊締具で固止する構造とした棟構造である。
【００２４】
請求項８の発明は、次のようなことを意図する。
Ｊ）  請求項７の目的を達成すること、この目的を達成するのに最適な緊締構造を提供すること。
【００２５】
従って、請求項８は、請求項７に記載の棟構造であって、
前記上面挾持片の両端部に、釘孔、ビス孔等の小孔を開設する構造とした棟構造である。
【発明の効果】
【００２６】
請求項１の発明は、屋根地の棟部の長手方向（棟方向）に、適宜間隔で立設された略細長山型の支持部材と、支持部材に、それぞれ架承したのし瓦緊結用の対の横木を支持する略鞍型の鞍部材と、鞍部材の両端に支持した横木に緊締される複数段ののし瓦の基端側に設けた立上部と、のし瓦の裏面に設けた複数のリブ片と、リブ片と棟部の瓦との間に設けた換気空間形成兼雨水遡上防止用の部材と、棟木及び／又は最上段ののし瓦に葺設した冠瓦とでなる棟構造である。
【００２７】
よって、請求項１は、次のような特徴を有する。
Ａ）  従来の面戸瓦の葺設を不要とし、施工の簡便化及び／又は短縮化と、コストの低廉化等が図れること、
Ｂ）  のし瓦を固止する横木の支持を、棟部に設けた支持部材及び／又は鞍部材を利用し、支持する構造としたので、耐震・耐風棟構造を提供できること、
Ｃ）  冠瓦は、棟部に設けた支持部材及び／又は鞍部材を利用し、葺設する構造としたので、耐震・耐風棟構造を提供できること。
【００２８】
請求項２の発明は、請求項１に記載の棟構造であって、
屋根地の棟部に換気吸込通路を形成するために、棟部の両先端間に空間を形成する棟構造である。
【００２９】
よって、請求項２は、次のような特徴を有する。
Ｄ）  換気吸込通路を介して棟を構築し、かつのし瓦の裏面にリブ片を突設するとともに、棟部の当木との間に空間を形成する構造としたので、換気棟として有益な棟構造を提供できること。
【００３０】
請求項３の発明は、請求項１に記載の棟構造であって、
鞍部材は、棟部の長手方向（棟方向）に、適宜間隔で立設された複数個の支持部材に、それぞれ架承し、複数個の鞍部材間に、棟木を架承し、棟木と、鞍部材、並びに支持部材を、緊締具で固止する棟構造である。
【００３１】
よって、請求項３は、次のような特徴を有する。
Ａ）  従来の面戸瓦の葺設を不要とし、施工の簡便化及び／又は短縮化と、コストの低廉化等が図れること、
Ｃ）  冠瓦は、棟部に設けた支持部材及び／又は鞍部材を利用し、葺設する構造としたので、耐震・耐風棟構造を提供できること。
【００３２】
請求項４の発明は、請求項１に記載の棟構造であって、
のし瓦の基端側に設けた立上部を、横木に釘止め又は接着、葺設等により設ける際に、立上部の上面に設けた楔傾斜面が、立上部の裏面に設けた楔凹部に喰込み可能とする棟構造である。
【００３３】
よって、請求項４は、次のような特徴を有する。
Ｆ）  のし瓦の基端側に設けた立上部を、横木に釘止め又は接着、葺設等するとともに、立上部の楔傾斜面と、立上部の裏面に設けた楔凹部とが楔関係を形成する構造としたので、耐震・耐風棟構造を提供できること。
【００３４】
請求項５の発明は、請求項１に記載の棟構造であって、
横木に、のし瓦の立上部を取付ける際の目印を、一箇所又は数箇所に亘り付設する棟構造である。
【００３５】
よって、請求項５は、次のような特徴を有する。
Ｇ）  横木に、のし瓦ガイドラインを設ける構造とし、のし瓦を整然と、かつ簡易に施工（葺設）できる耐震・耐風棟構造を提供できること。
【００３６】
請求項６の発明は、請求項１に記載の棟構造であって、
のし瓦の基端側に設けた立上部の内側（棟芯側）の寸法と、のし瓦の垂れ部の外側（軒先側）の寸法を略均等とし、複数段ののし瓦が、姿勢よく、略ハの字形に葺設される棟構造である。
【００３７】
よって、請求項６は、次のような特徴を有する。
Ｈ）  のし瓦の基端側に設けた立上部の内側（棟芯側）の寸法と、のし瓦の垂れ部の外側（軒先側）の寸法を略均等とし、複数段ののし瓦が、姿勢よく、略ハの字形に葺設される棟構造を提供できること。
【００３８】
請求項７の発明は、請求項１に記載の棟構造であって、
支持部材に架承した鞍部材に、対の横木の上面挾持片を備えた挾持部材を載架し、上面挾持片と、鞍部材、並びに支持部材を、緊締具で固止する棟構造である。
【００３９】
よって、請求項７は、次のような特徴を有する。
Ｉ）  棟部に設けた支持部材及び／又は鞍部材、並びに鞍部材の上面挾持片を利用し、横木を挾持する構造としたので、耐震・耐風棟構造を提供できること。
【００４０】
請求項８の発明は、請求項７に記載の棟構造であって、
上面挾持片の両端部に、釘孔、ビス孔等の小孔を開設する構造とした棟構造である。
【００４１】
よって、請求項８は、次のような特徴を有する。
Ｊ）  請求項７の目的を達成できること、この目的を達成するのに最適な緊締構造を提供できること。
【発明を実施するための最良の形態】
【００４２】
以下、本発明の実施の態様（形態）を説明する。
【００４３】
最初に、本発明の好ましい一例である図面を説明すると、図１は各実施例に共通な大棟に本発明を施工した一部欠截の縮尺側面図、図２は各実施例に共通な隅棟に本発明を施工した一部欠截の縮尺側面図である。そして、図３〜図８は、第一実施例を示しており、図３は要部側面模式図、図４は換気棟の要部欠截の斜視図、図５はのし瓦の拡大俯瞰図であり、成形時における左右ののし瓦を一体に成形した状態の図、図６は支持部材を分解して示した斜視図、図７は図６の組付け状態を示した斜視図、図８は図７に示した組付け状態に横木を架承した状態の側面模式図である。次に図９〜図１１は、第二実施例を示しており、図９は要部側面模式図、図１０は支持部材を分解して示した斜視図、図１１は図１０の組付け状態を示した斜視図、図１２は図１１に示した組付け状態に横木を架承した状態の側面模式図である。
【００４４】
最初に、第一実施例を、図１〜図８をもとに説明すると、１は屋根地Ｈの棟部Ｈ１の長手方向Ｈ１−１（棟方向）に、適宜間隔で立設される側面視して板状で、正面視して略細長山型の支持部材で、この支持部材１は傾斜状の対の脚部１００と、この脚部１００より上方に向かって収れんした胴体部１０１と、この胴体部１０１の上端を連結する天井板部１０２とで構成されており、通常はアルミ、鉄等の金属部材で構成する。そして、この天井板部１０２は孔１０３を有する。２は前記支持部材１に架承される鞍部材で、この鞍部材２は、側面視して板状で、正面視して略細長鞍型を呈する。そして、この鞍部材２は、天井板部１０２に跨るように架承される架承天板２００と、この架承天板２００の両端より垂下延設した対の垂下部２０１、２０１（以下、単に垂下部２０１とする）と、この垂下部２０１の端部に設けた略溝形の受け部２０２とで構成されており、その架承天板２００に孔２０３を有する。そして、この孔２０３は前記支持部材１の孔１０３と整合する。この整合した孔１０３、２０３には、ボルト３ａが取付けられるとともに、このボルト３ａの支持部材１及び鞍部材２への取付けと、ナット３ｂの緊締を介して、棟木Ｈ２が架承される。尚、棟木Ｈ２は、長手方向Ｈ１−１に対して、適宜の長さを有することから、この棟木Ｈ２は、この複数の支持部材１及び複数の鞍部材２間に、差渡し架承される。
【００４５】
４は横木で、この横木４は、前記鞍部材２の受け部２０２に支持され、かつ垂下部２０１に添接されるとともに、この垂下部２０１に緊締固止される。
【００４６】
そして、５はのし瓦であり、こののし瓦５は、図５に示した如く、左右ののし瓦５を一体に成形した後（一体のし瓦５ａ）に、分割して、それぞれののし瓦５を成形する（左右ののし瓦５は同様であり、一方側で説明する）。こののし瓦５は、のし瓦本体５００と、こののし瓦本体５００の基端側（棟部側）に設けた立上部５０１と、その自由端側（軒先側）に設けた垂れ部５０２と、その裏面５ｂに適宜間隔をおいて設けたリブ片５０３とで構成される。そしてこの立上部５０１の上面は楔傾斜面５０１ａを有するとともに、その下面には楔凹部５０１ｂを構成する。そして、葺設時には、この楔傾斜面５０１ａが楔凹部５０１ｂに喰込み緊締される特徴があり、耐震、耐風効果が図れる。そして、この一体のし瓦５ａは、楔傾斜面５０１ａを利用して一体成形するとともに、この楔傾斜面５０１ａを、現場でカットすることで、左右ののし瓦５を成形する。
【００４７】
尚、こののし瓦５を棟部Ｈ１の瓦Ｒに葺設した換気空間形成兼雨水遡上防止用の部材７（シーラ材「商品名」、又は発泡剤、樹脂モルタル等の可撓性の樹脂部材、又はセメントモルタル等とする）上に設置した際に、リブ片５０３間に形成された空間部５０４は、換気口８として機能する構造となっている。またこのリブ片５０３は下段ののし瓦５の表面５ｃに設けた段付部５０５に衝止可能な構造とし、のし瓦５の葺設の確実性を確保する。また図示の如く、そして、この衝止関係／のし瓦５の基端側に設けた立上部５０１の内側（棟芯側）の寸法５０１ｃ（高さ）と、のし瓦５の垂れ部５０２の外側（軒先側）の寸法５０２ａ（高さ）を略均等とし、複数段ののし瓦５が、姿勢よく、略ハの字形に葺設される棟構造とすることが望ましい。さらに前記衝止関係の構造と、前記寸法（高さ）関係の構造とを併用することで、前述の特徴をさらに向上させることも可能である。
【００４８】
１０は冠瓦で、この冠瓦１０は、前記のし瓦５の表面５ｃに、その裾部１０００を当接するとともに、その裏面１０ａに設けた差渡しリブ片１００１を棟木Ｈ２に架承することで棟部Ｈ１に葺設する構造であり、図示しない止め具又は番線等を介して、緊締固止する。この作業を、繰返して、冠瓦１０を、棟部Ｈ１の長手方向Ｈ１−１に順次葺設する。
【００４９】
以上の構造を採用する第一実施例では、屋根地Ｈに当木１１を介して、支持部材１の脚部１００を固止し、棟部Ｈ１に、この支持部材１を順次立設し、この各支持部材１の天井板部１０２に、各鞍部材２の架承天板２００を、順次架承する。そして、望ましくは、この架承した各鞍部材２間に、棟木Ｈ２を載架しながら、ボルト３ａ及び／又はナット３ｂ等の緊締具を介して、この支持部材１と鞍部材２と棟木Ｈ２を緊締固止することで、棟部Ｈ１に鞍部材２と棟木Ｈ２が保持される。その後、鞍部材２の受け部２０２と垂下部２０１を介して横木４を、棟部Ｈ１の長手方向Ｈ１−１に支持する。以上の作業で、棟部Ｈ１の基礎部が構築されたので、以下のし瓦５と冠瓦１０の葺設を図る。
【００５０】
こののし瓦５の葺設は、瓦Ｒに付設した換気空間形成兼雨水遡上防止用の部材７を利用し、この換気空間形成兼雨水遡上防止用の部材７にリブ片５０３を衝止し、かつのし瓦５の立上部５０１を横木４に緊締する。この状態で、瓦Ｒと垂れ部５０２の下端との間に換気排気通路１３が形成される。また換気空間形成兼雨水遡上防止用の部材７とリブ片５０３の空間部５０４との間で、換気口８が形成される。こののし瓦５の上には、上の（次の）のし瓦５が葺設されるが、下ののし瓦５の楔傾斜面５０１ａに、上ののし瓦５の楔凹部５０１ｂが被嵌係止（喰込み係止）されることで、この上下ののし瓦５が強固となる。そして、立上部５０１と横木４の緊締は同様である。またこの上ののし瓦５のリブ片５０３は、下ののし瓦５の段付部５０５に衝止されるとともに、垂れ部５０２の下端が、下ののし瓦５の表面５ｃに衝止し、雨水及び／又は風の侵入防止と、耐震強度の向上等が図れる。
【００５１】
以上の作業を繰返して、のし瓦５の葺設が終了した時点で、こののし瓦５と、棟木Ｈ２の上に冠瓦１０を葺設緊締することは、前述の通りである。
【００５２】
次に第二実施例を、図１、図２〜図９〜図１２をもとに説明すると、基本的な構造は、第一実施例と同様であるので、その相違点のみ説明する。この第二実施例は、鞍部材２の架承天板２００の上に、対の横木４の上面挾持片２０００（略溝形）を備えた挾持部材２０を載架する構造であり、この対の上面挾持片２０００と、鞍部材２の受け部２０２を介して横木４を挾持する。これによって、横木４の確実かつ強固な支持を図る。尚、この挾持部材２０は、この支持部材１の天井板部１０２に設けた鞍部材２の架承天板２００に設けられるとともに、ボルト３ａ及び／又はナット３ｂ等の緊締具を介して、緊締固止されるが、この緊締固止の際に、この挾持部材２０の上に棟木Ｈ２が、同時に緊締固止される。このような作業を介して、棟木Ｈ２は、各支持部材１と、各鞍部材２、並びに各挾持部材２０の上に設けられ、かつ棟部Ｈ１の長手方向Ｈ１−１に葺設される。その他の構造及び／又は作用と、特徴は前述の第一実施例に準ずる。
【００５３】
尚、２１は屋根地Ｈの棟部Ｈ１に設けた換気吸込通路で、この換気吸込通路２１は、棟部Ｈ１の長手方向Ｈ１−１に貫設する構成と、間欠式に設ける構造とがあり、その状況と、気候、地域の特性、又は建屋の大きさ、換気の条件等の諸々の条件で決定する。またこの支持部材１と、鞍部材２と、また必要により挾持部材２０とをそれぞれ組合せること、又はこの支持部材１と、鞍部材２と、また必要により挾持部材２０の寸法の異なるものを個別に採用すること等を介して、例えば、棟部Ｈ１及び／又は換気吸込通路２１や、屋根地Ｈ等の大小・形態等に容易に対応できるので、重宝かつ簡便、経済的であること等の実益がある。そして、場合により、支持部材１の脚部１００及び／又は胴体部１０１の調節（拡縮、可変等の操作）のみでも、寸法の異なる各部材を採用することで、棟部Ｈ１及び／又は換気吸込通路２１や、屋根地Ｈ等の大小・形態等に容易に対応できると考えられ、省資源かつ簡便、経済的であること等の有益性を有する。
【図面の簡単な説明】
【００５４】
【図１】図１は各実施例に共通な大棟に本発明を施工した一部欠截の縮尺側面図
【図２】図２は各実施例に共通な隅棟に本発明を施工した一部欠截の縮尺側面図
【図３】図３は第一実施例の要部側面模式図
【図４】図４は第一実施例の換気棟の要部欠截の斜視図
【図５】図５は第一実施例ののし瓦の拡大俯瞰図であり、成形時における左右ののし瓦を一体に成形した状態の図
【図６】図６は第一実施例の支持部材を分解して示した斜視図
【図７】図７は第一実施例の図６の組付け状態を示した斜視図
【図８】図８は第一実施例の図７に示した組付け状態に横木を架承した状態の側面模式図
【図９】図９は第二実施例の要部側面模式図
【図１０】図１０は第二実施例の支持部材を分解して示した斜視図
【図１１】図１１は第二実施例の図１０の組付け状態を示した斜視図
【図１２】図１２は第二実施例の図１１に示した組付け状態に横木を架承した状態の側面模式図
【符号の説明】
【００５５】
１                支持部材
１００            脚部
１０１            胴体部
１０２            天井板部
１０３            孔
２                鞍部材
２００            架承天板
２０１            垂下部
２０２            受け部
２０３            孔
３ａ              ボルト
３ｂ              ナット
４                横木
５                のし瓦
５ａ              一体のし瓦
５ｂ              裏面
５ｃ              表面
５００            のし瓦本体
５０１            立上部
５０１ａ          楔傾斜面
５０１ｂ          楔凹部
５０１ｃ          寸法
５０２            垂れ部
５０２ａ          寸法
５０３            リブ片
５０４            空間部
５０５            段付部
７                換気空間形成兼雨水遡上防止用の部材
８                換気口
１０              冠瓦
１０ａ            裏面
１０００          裾部
１００１          差渡しリブ片
１１              当木
１３              換気排気通路
２０              挾持部材
２０００          上面挾持片
２１              換気吸込通路
Ｈ                屋根地
Ｈ１              棟部
Ｈ１−１          長手方向
Ｈ２              棟木
Ｒ                瓦
【図１】
2008214939.tif 000003
【図２】
2008214939.tif 000004
【図３】
2008214939.tif 000005
【図４】
2008214939.tif 000006
【図５】
2008214939.tif 000007
【図６】
2008214939.tif 000008
【図７】
2008214939.tif 000009
【図８】
2008214939.tif 000010
【図９】
2008214939.tif 000011
【図１０】
2008214939.tif 000012
【図１１】
2008214939.tif 000013
【図１２】
2008214939.tif 000014
【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
屋根地の棟部の長手方向（棟方向）に、適宜間隔で立設された略細長山型の支持部材と、この支持部材に、それぞれ架承したのし瓦緊結用の対の横木を支持する略鞍型の鞍部材と、この鞍部材の両端に支持した前記横木に緊締される複数段ののし瓦の基端側に設けた立上部と、前記のし瓦の裏面に設けた複数のリブ片と、このリブ片と棟部の瓦との間に設けた換気空間形成兼雨水遡上防止用の部材と、前記複数配置された鞍部材上に、差渡し架承した棟木及び／又は最上段の前記のし瓦に葺設した冠瓦とで構成される棟構造。
【請求項２】
請求項１に記載の棟構造であって、
前記のし瓦のリブ片と棟部の瓦との間に設けた換気空間形成兼雨水遡上防止用の部材と、こののし瓦のリブ片との間で、換気口を形成する構成とした棟構造。
【請求項３】
請求項１に記載の棟構造であって、
前記鞍部材は、棟部の長手方向（棟方向）に、適宜間隔で立設された複数個の支持部材に、それぞれ架承し、この複数配置された鞍部材上に棟木を架承し、この棟木と、前記鞍部材、並びに支持部材を、緊締具で固止する構造とした棟構造。
【請求項４】
請求項１に記載の棟構造であって、
前記のし瓦の基端側に設けた立上部を、前記横木に釘止め又は接着、葺設等により設ける際に、この立上部の上面に設けた楔傾斜面が、この立上部の裏面に設けた楔凹部に喰込み可能とする構造とした棟構造。
【請求項５】
請求項１に記載の棟構造であって、
前記横木に、のし瓦の立上部を取付ける際の目印を、一箇所又は数箇所に亘り付設する構造とした棟構造。
【請求項６】
請求項１に記載の棟構造であって、
前記のし瓦の基端側に設けた立上部の内側（棟芯側）の寸法と、のし瓦の垂れ部の外側（軒先側）の寸法を略均等とし、複数段ののし瓦が、棟方向に対して、垂直断面の形状が略ハの字形に葺設される構造とした棟構造。
【請求項７】
請求項１に記載の棟構造であって、
前記支持部材に架承した鞍部材に、対の横木の上面挾持片を備えた挾持部材を載架し、この上面挾持片と、前記鞍部材、並びに支持部材を、緊締具で固止する構造とした棟構造。
【請求項８】
請求項７に記載の棟構造であって、
前記上面挾持片の両端部に、釘孔、ビス孔等の小孔を開設する構造とした棟構造。
【手続補正２】
【補正対象書類名】明細書
【補正対象項目名】全文
【補正方法】変更
【補正の内容】
【発明の詳細な説明】
【技術分野】
【０００１】
本発明は、大棟、隅棟等の棟構造に関する。
【背景技術】
【０００２】
この棟構造に関しては、種々の構造又は工法が提案されている。
【０００３】
文献（１）は、特開２００３−２１３８４３の「簡易棟用下地ボックス及び該簡易棟用下地ボックスを使用する棟構造」である。この発明は、屋根地の換気通路を跨架するように（跨ぐように）設けた、棟方向に長い形状であって、横長中空箱状のボックスを利用した棟構造であり、このボックスの両側面を外方（軒際側）に向かって拡開傾斜状とした下地ボックスと、この下地ボックスの外側に設けたのし瓦の立上部を係止する複数本の突条と、この下地ボックスの両側面にのし瓦の立上部を釘止め固止し、最上段ののし瓦と、前記ボックスの上面に冠瓦を葺設かつ釘止めする乾式構造であり、葺土を使用せずに外観を従来の棟部と同様に仕上げること、棟部の軽量化を図ること、又は経時劣化せず、施工作業が容易な棟構造を提案する。
【０００４】
また文献（２）は、特開２００３−３０１５６４の「面戸瓦、熨斗瓦、及び棟部の瓦組構造」である。この発明は、屋根地の換気通路を跨架するように設けた支持体と、支持体の両側面と、棟部の瓦（棟下桟瓦）との間に葺設される面戸瓦と、この面戸瓦と前記支持体に、その立上部を固定した複数段ののし瓦を葺設し、この最上段ののし瓦と、前記支持体の上面に冠瓦を葺設かつ釘止めする乾式構造であり、耐震、耐風特性を備えた棟構造の提供と、棟部に雨水が浸入するのを防ぐ、面戸瓦、及び熨斗瓦を提供すること、また換気棟で、かつ建築コストが安く済む棟部の瓦組構造を提供すること等を意図する。
【０００５】
さらに文献（３）は、特開平１１−１８１９６５の「棟構造と、この棟構造に使用する棟コア」である。この発明は、屋根地の換気通路を跨架するように設けた略倒Ｕ字形の棟コアと、棟コア及び葺土に設けられる台のし瓦、多数ののし瓦及び丸瓦と、棟コアの立上壁に開設する換気孔及び換気口と、換気口が連通する屋根板と棧瓦の裏面の隙間と、換気孔に設けたパイプを利用して屋根裏の空気を換気する構成であり、棟コアと、葺土及び／又は換気通路とを有効利用し、十分な換気効果及び耐震効果が期待できる換気機能を備えた耐震棟を、簡易に葺設できる構造を提供すること意図する。
【０００６】
【特許文献１】特開２００３−２１３８４３
【特許文献２】特開２００３−３０１５６４
【特許文献３】特開平１１−１８１９６５
【発明の開示】
【発明が解決しようとする課題】
【０００７】
文献（１）、文献（２）の発明は、従来の棟芯（棟木）支持体と棟木、並びにのし瓦支持木（横木）とを利用した乾式棟構造に比較し、耐震、耐風特性を備えた棟構造を提供できる特徴がある。しかし、この文献（１）は、屋根地の棟部に設置されるボックスを介して、多数段ののし瓦と、こののし瓦の上に葺設する冠瓦とを支持する構造であり、全く構造の異なるボックスを採用することから、このボックスを製造する特殊な加工装置（新たな設備投資）を要すること、また設備及び／又は材料の手当を要すること等の問題点が考えられる。そして、またこのボックスを使用する葺設工事は、従来の棟構造とは、全く違う装置及び／又は葺設作業を伴うことから、違和感があると考えられる。また文献（２）は、従来の棟構造と同様に、面戸瓦を必要とすることから、面倒である。さらに文献（２）は、棟木と横木を平行に設置するには、複数本の固定ボルト、ナット及び／又はワッシャとを利用し、いちいち調節する必要があり、かなりの手間と熟練を要し、施工に時間を必要とするとともに、新たな経験と、技術とを有することから、その改良が望まれる。
【０００８】
また文献（３）は、略倒Ｕ字形の棟コアを利用した棟構造であり、この棟コアの成形に関する手間を要すること、またこの棟コアの加工（成型）装置の製作に対し、新たな設備投資及び／又は期間を要すること等の改良点が考えられる。またこの文献（３）は、乾式工法でないので、棟の軽量化と、施工の容易化等を考えた場合に、改良すべき問題を抱えていると考えられる。
【０００９】
上記に鑑み、本発明は、次のような目的を達成することを意図する。
Ａ）  従来の面戸瓦の葺設を不要とし、施工の簡便化及び／又は短縮化と、コストの低廉化等を図ること（請求項１・３）、
Ｂ）  のし瓦を固止する横木の支持を、棟部に設けた支持部材及び／又は鞍部材を利用し、支持する構造としたので、耐震・耐風棟構造を提供できること（請求項１）、
Ｃ）  冠瓦は、棟部に設けた支持部材及び／又は鞍部材を利用し、葺設する構造としたので、耐震・耐風棟構造を提供できること（請求項１・３）、
Ｄ）  換気吸込通路を介して棟を構築し、かつのし瓦の裏面にリブ片を突設するとともに、棟部の当木との間に空間を形成する構造としたので、換気棟として有益な棟構造を提供できる（請求項２）、
Ｆ）  のし瓦の基端側に設けた立上部を、横木に釘止め又は接着、葺設等するとともに、立上部の楔傾斜面と、立上部の裏面に設けた楔凹部とが楔関係を形成する構造としたので、耐震・耐風棟構造を提供できること（請求項４）、
Ｇ）  横木に、のし瓦ガイドラインを設ける構造とし、のし瓦を整然と、かつ簡易に施工（葺設）できる耐震・耐風棟構造を提供できること（請求項５）、
Ｈ）  のし瓦の基端側に設けた立上部の内側（棟芯側）の寸法と、のし瓦の垂れ部の外側（軒先側）の寸法を略均等とし、複数段ののし瓦が、棟方向に対して、、垂直断面の形状が略ハの字形に葺設される棟構造を提供できる（請求項６）、
Ｉ）  棟部に設けた支持部材及び／又は鞍部材、並びに鞍部材の上面挾持片を利用し、横木を挾持する構造としたので、耐震・耐風棟構造を提供できること（請求項７）。
【課題を解決するための手段】
【００１０】
請求項１の発明は、次のようなことを意図する。
Ａ）  従来の面戸瓦の葺設を不要とし、施工の簡便化及び／又は短縮化と、コストの低廉化等を図ること、
Ｂ）  のし瓦を固止する横木の支持を、棟部に設けた支持部材及び／又は鞍部材を利用し、支持する構造とし、耐震・耐風棟構造を提供すること、
Ｃ）  冠瓦は、棟部に設けた支持部材及び／又は鞍部材を利用し、葺設する構造とし、耐震・耐風棟構造を提供すること。
【００１１】
従って、請求項１は、屋根地の棟部の長手方向（棟方向）に、適宜間隔で立設された略細長山型の支持部材と、この支持部材に、それぞれ架承したのし瓦緊結用の対の横木を支持する略鞍型の鞍部材と、この鞍部材の両端に支持した前記横木に緊締される複数段ののし瓦の基端側に設けた立上部と、前記のし瓦の裏面に設けた複数のリブ片と、このリブ片と棟部の瓦との間に設けた換気空間形成兼雨水遡上防止用の部材と、前記複数配置された鞍部材上に、差渡し架承した棟木及び／又は最上段の前記のし瓦に葺設した冠瓦とで構成される棟構造である。
【００１２】
請求項２の発明は、次のようなことを意図する。
Ｄ）  換気吸込通路を介して棟を構築し、かつのし瓦の裏面にリブ片を突設するとともに、換気空間形成兼雨水遡上防止用の部材と、こののし瓦のリブ片との間で、換気口を形成する構造とし、換気棟として有益な棟構造を提供すること。
【００１３】
従って、請求項２は、請求項１に記載の棟構造であって、
前記のし瓦のリブ片と棟部の瓦との間に設けた換気空間形成兼雨水遡上防止用の部材と、こののし瓦のリブ片との間で、換気口を形成する構成とした棟構造である。
【００１４】
請求項３の発明は、次のようなことを意図する。
Ａ）  従来の面戸瓦の葺設を不要とし、施工の簡便化及び／又は短縮化と、コストの低廉化等を図ること、
Ｃ）  冠瓦は、棟部に設けた支持部材及び／又は鞍部材を利用し、葺設する構造とし、耐震・耐風棟構造を提供すること。
【００１５】
従って、請求項３は、請求項１に記載の棟構造であって、
前記鞍部材は、棟部の長手方向（棟方向）に、適宜間隔で立設された複数個の支持部材に、それぞれ架承し、この複数配置された鞍部材上に棟木を架承し、この棟木と、前記鞍部材、並びに支持部材を、緊締具で固止する構造とした棟構造である。
【００１６】
請求項４の発明は、次のようなことを意図する。
Ｆ）  のし瓦の基端側に設けた立上部を、横木に釘止め又は接着、葺設等するとともに、立上部の楔傾斜面と、立上部の裏面に設けた楔凹部とが楔関係を形成する構造としたので、耐震・耐風棟構造を提供すること。
【００１７】
従って、請求項４は、請求項１に記載の棟構造であって、
前記のし瓦の基端側に設けた立上部を、前記横木に釘止め又は接着、葺設等により設ける際に、この立上部の上面に設けた楔傾斜面が、この立上部の裏面に設けた楔凹部に喰込み可能とする構造とした棟構造である。
【００１８】
請求項５の発明は、次のようなことを意図する。
Ｇ）  横木に、のし瓦ガイドラインを設ける構造とし、のし瓦を整然と、かつ簡易に施工（葺設）できる耐震・耐風棟構造を提供すること（請求項５）。
【００１９】
従って、請求項５は、請求項１に記載の棟構造であって、
前記横木に、のし瓦の立上部を取付ける際の目印を、一箇所又は数箇所に亘り付設する構造とした棟構造である。
【００２０】
請求項６の発明は、次のようなことを意図する。
Ｈ）  のし瓦の基端側に設けた立上部の内側（棟芯側）の寸法と、のし瓦の垂れ部の外側（軒先側）の寸法を略均等とし、複数段ののし瓦が、棟方向に対して、垂直断面の形状が略ハの字形に葺設される棟構造を提供すること（請求項６）。
【００２１】
従って、請求項６は、請求項１に記載の棟構造であって、
前記のし瓦の基端側に設けた立上部の内側（棟芯側）の寸法と、のし瓦の垂れ部の外側（軒先側）の寸法を略均等とし、複数段ののし瓦が、棟方向に対して、、垂直断面の形状が略ハの字形に葺設される構造とした棟構造である。
【００２２】
請求項７の発明は、次のようなことを意図する。
Ｉ）  棟部に設けた支持部材及び／又は鞍部材、並びに鞍部材の上面挾持片を利用し、横木を挾持する構造とし、耐震・耐風棟構造を提供すること（請求項７）。
【００２３】
従って、請求項７は、請求項１に記載の棟構造であって、
前記支持部材に架承した鞍部材に、対の横木の上面挾持片を備えた挾持部材を載架し、この上面挾持片と、前記鞍部材、並びに支持部材を、緊締具で固止する構造とした棟構造である。
【００２４】
請求項８の発明は、次のようなことを意図する。
Ｊ）  請求項７の目的を達成すること、この目的を達成するのに最適な緊締構造を提供すること。
【００２５】
従って、請求項８は、請求項７に記載の棟構造であって、
前記上面挾持片の両端部に、釘孔、ビス孔等の小孔を開設する構造とした棟構造である。
【発明の効果】
【００２６】
請求項１の発明は、屋根地の棟部の長手方向（棟方向）に、適宜間隔で立設された略細長山型の支持部材と、支持部材に、それぞれ架承したのし瓦緊結用の対の横木を支持する略鞍型の鞍部材と、鞍部材の両端に支持した横木に緊締される複数段ののし瓦の基端側に設けた立上部と、のし瓦の裏面に設けた複数のリブ片と、リブ片と棟部の瓦との間に設けた換気空間形成兼雨水遡上防止用の部材と、複数配置された鞍部材上に、差渡し架承した棟木及び／又は最上段の前記のし瓦に葺設した冠瓦とで構成される棟構造である。
【００２７】
よって、請求項１は、次のような特徴を有する。
Ａ）  従来の面戸瓦の葺設を不要とし、施工の簡便化及び／又は短縮化と、コストの低廉化等が図れること、
Ｂ）  のし瓦を固止する横木の支持を、棟部に設けた支持部材及び／又は鞍部材を利用し、支持する構造としたので、耐震・耐風棟構造を提供できること、
Ｃ）  冠瓦は、棟部に設けた支持部材及び／又は鞍部材を利用し、葺設する構造としたので、耐震・耐風棟構造を提供できること。
【００２８】
請求項２の発明は、請求項１に記載の棟構造であって、
のし瓦のリブ片と棟部の瓦との間に設けた換気空間形成兼雨水遡上防止用の部材と、のし瓦のリブ片との間で、換気口を形成する構成とした棟構造である。
【００２９】
よって、請求項２は、次のような特徴を有する。
Ｄ）  換気吸込通路を介して棟を構築し、かつのし瓦の裏面にリブ片を突設するとともに、換気空間形成兼雨水遡上防止用の部材と、こののし瓦のリブ片との間で、換気口を形成する構造とし、換気棟として有益な棟構造を提供できること。
【００３０】
請求項３の発明は、請求項１に記載の棟構造であって、
鞍部材は、棟部の長手方向（棟方向）に、適宜間隔で立設された複数個の支持部材に、それぞれ架承し、この複数配置された鞍部材上に棟木を架承し、棟木を架承し、棟木と、鞍部材、並びに支持部材を、緊締具で固止する棟構造である。
【００３１】
よって、請求項３は、次のような特徴を有する。
Ａ）  従来の面戸瓦の葺設を不要とし、施工の簡便化及び／又は短縮化と、コストの低廉化等が図れること、
Ｃ）  冠瓦は、棟部に設けた支持部材及び／又は鞍部材を利用し、葺設する構造としたので、耐震・耐風棟構造を提供できること。
【００３２】
請求項４の発明は、請求項１に記載の棟構造であって、
のし瓦の基端側に設けた立上部を、横木に釘止め又は接着、葺設等により設ける際に、立上部の上面に設けた楔傾斜面が、立上部の裏面に設けた楔凹部に喰込み可能とする棟構造である。
【００３３】
よって、請求項４は、次のような特徴を有する。
Ｆ）  のし瓦の基端側に設けた立上部を、横木に釘止め又は接着、葺設等するとともに、立上部の楔傾斜面と、立上部の裏面に設けた楔凹部とが楔関係を形成する構造としたので、耐震・耐風棟構造を提供できること。
【００３４】
請求項５の発明は、請求項１に記載の棟構造であって、
横木に、のし瓦の立上部を取付ける際の目印を、一箇所又は数箇所に亘り付設する棟構造である。
【００３５】
よって、請求項５は、次のような特徴を有する。
Ｇ）  横木に、のし瓦ガイドラインを設ける構造とし、のし瓦を整然と、かつ簡易に施工（葺設）できる耐震・耐風棟構造を提供できること。
【００３６】
請求項６の発明は、請求項１に記載の棟構造であって、
前記のし瓦の基端側に設けた立上部の内側（棟芯側）の寸法と、のし瓦の垂れ部の外側（軒先側）の寸法を略均等とし、複数段ののし瓦が、棟方向に対して、垂直断面の形状が略ハの字形に葺設される構造とした棟構造である。
【００３７】
よって、請求項６は、次のような特徴を有する。
Ｈ）  のし瓦の基端側に設けた立上部の内側（棟芯側）の寸法と、のし瓦の垂れ部の外側（軒先側）の寸法を略均等とし、複数段ののし瓦が、棟方向に対して、垂直断面の形状が略ハの字形に葺設される棟構造を提供できること。
【００３８】
請求項７の発明は、請求項１に記載の棟構造であって、
支持部材に架承した鞍部材に、対の横木の上面挾持片を備えた挾持部材を載架し、上面
挾持片と、鞍部材、並びに支持部材を、緊締具で固止する棟構造である。
【００３９】
よって、請求項７は、次のような特徴を有する。
Ｉ）  棟部に設けた支持部材及び／又は鞍部材、並びに鞍部材の上面挾持片を利用し、横木を挾持する構造としたので、耐震・耐風棟構造を提供できること。
【００４０】
請求項８の発明は、請求項７に記載の棟構造であって、
上面挾持片の両端部に、釘孔、ビス孔等の小孔を開設する構造とした棟構造である。
【００４１】
よって、請求項８は、次のような特徴を有する。
Ｊ）  請求項７の目的を達成できること、この目的を達成するのに最適な緊締構造を提供できること。
【発明を実施するための最良の形態】
【００４２】
以下、本発明の実施の態様（形態）を説明する。
【００４３】
最初に、本発明の好ましい一例である図面を説明すると、図１は各実施例に共通な大棟に本発明を施工した一部欠截の縮尺側面図、図２は各実施例に共通な隅棟に本発明を施工した一部欠截の縮尺側面図である。そして、図３〜図８は、第一実施例を示しており、図３は要部側面模式図、図４は換気棟の要部欠截の斜視図、図５はのし瓦の拡大俯瞰図であり、成形時における左右ののし瓦を一体に成形した状態の図、図６は支持部材を分解して示した斜視図、図７は図６の組付け状態を示した斜視図、図８は図７に示した組付け状態に横木を架承した状態の側面模式図である。次に図９〜図１１は、第二実施例を示しており、図９は要部側面模式図、図１０は支持部材を分解して示した斜視図、図１１は図１０の組付け状態を示した斜視図、図１２は図１１に示した組付け状態に横木を架承した状態の側面模式図である。
【００４４】
最初に、第一実施例を、図１〜図８をもとに説明すると、１は屋根地Ｈの棟部Ｈ１の長手方向Ｈ１−１（棟方向）に、適宜間隔で立設される側面視して板状で、正面視して略細長山型の支持部材で、この支持部材１は傾斜状の対の脚部１００と、この脚部１００より上方に向かって収れんした胴体部１０１と、この胴体部１０１の上端を連結する天井板部１０２とで構成されており、通常はアルミ、鉄等の金属部材で構成する。そして、この天井板部１０２は孔１０３を有する。２は前記支持部材１に架承される鞍部材で、この鞍部材２は、側面視して板状で、正面視して略細長鞍型を呈する。そして、この鞍部材２は、天井板部１０２に跨るように架承される架承天板２００と、この架承天板２００の両端より垂下延設した対の垂下部２０１、２０１（以下、単に垂下部２０１とする）と、この垂下部２０１の端部に設けた略溝形の受け部２０２とで構成されており、その架承天板２００に孔２０３を有する。そして、この孔２０３は前記支持部材１の孔１０３と整合する。この整合した孔１０３、２０３には、ボルト３ａが取付けられるとともに、このボルト３ａの支持部材１及び鞍部材２への取付けと、ナット３ｂの緊締を介して、棟木Ｈ２が架承される。尚、棟木Ｈ２は、長手方向Ｈ１−１に対して、適宜の長さを有することから、この棟木Ｈ２は、この複数の支持部材１及び複数の鞍部材２間に、差渡し架承される。
【００４５】
４は横木で、この横木４は、前記鞍部材２の受け部２０２に支持され、かつ垂下部２０１に添接されるとともに、この垂下部２０１に緊締固止される。
【００４６】
そして、５はのし瓦であり、こののし瓦５は、図５に示した如く、左右ののし瓦５を一体に成形した後（一体のし瓦５ａ）に、分割して、それぞれののし瓦５を成形する（左右ののし瓦５は同様であり、一方側で説明する）。こののし瓦５は、のし瓦本体５００と、こののし瓦本体５００の基端側（棟部側）に設けた立上部５０１と、その自由端側（軒先側）に設けた垂れ部５０２と、その裏面５ｂに適宜間隔をおいて設けたリブ片５０３とで構成される。そしてこの立上部５０１の上面は楔傾斜面５０１ａを有するとともに、その下面には楔凹部５０１ｂを構成する。そして、葺設時には、この楔傾斜面５０１ａが楔凹部５０１ｂに喰込み緊締される特徴があり、耐震、耐風効果が図れる。そして、この一体のし瓦５ａは、楔傾斜面５０１ａを利用して一体成形するとともに、この楔傾斜面５０１ａを、現場でカットすることで、左右ののし瓦５を成形する。
【００４７】
尚、こののし瓦５を棟部Ｈ１の瓦Ｒに葺設した換気空間形成兼雨水遡上防止用の部材７（シーラ材「商品名」、又は発泡剤、樹脂モルタル等の可撓性の樹脂部材、又はセメントモルタル等とする）上に設置した際に、リブ片５０３間に形成された空間部５０４は、換気口８として機能する構造となっている。またこのリブ片５０３は下段ののし瓦５の表面５ｃに設けた段付部５０５に衝止可能な構造とし、のし瓦５の葺設の確実性を確保する。また図示の如く、そして、この衝止関係／のし瓦５の基端側に設けた立上部５０１の内側（棟芯側）の寸法５０１ｃ（高さ）と、のし瓦５の垂れ部５０２の外側（軒先側）の寸法５０２ａ（高さ）を略均等とし、複数段ののし瓦５が、棟方向に対して、垂直断面の形状が略ハの字形に葺設される棟構造とすることが望ましい。さらに前記衝止関係の構造と、前記寸法（高さ）関係の構造とを併用することで、前述の特徴をさらに向上させることも可能である。
【００４８】
１０は冠瓦で、この冠瓦１０は、前記のし瓦５の表面５ｃに、その裾部１０００を当接するとともに、その裏面１０ａに設けた差渡しリブ片１００１を棟木Ｈ２に架承することで棟部Ｈ１に葺設する構造であり、図示しない止め具又は番線等を介して、緊締固止する。この作業を、繰返して、冠瓦１０を、棟部Ｈ１の長手方向Ｈ１−１に順次葺設する。
【００４９】
以上の構造を採用する第一実施例では、屋根地Ｈに当木１１を介して、支持部材１の脚部１００を固止し、棟部Ｈ１に、この支持部材１を順次立設し、この各支持部材１の天井板部１０２に、各鞍部材２の架承天板２００を、順次架承する。そして、望ましくは、この架承した各鞍部材２間に、棟木Ｈ２を載架しながら、ボルト３ａ及び／又はナット３ｂ等の緊締具を介して、この支持部材１と鞍部材２と棟木Ｈ２を緊締固止することで、棟部Ｈ１に鞍部材２と棟木Ｈ２が保持される。その後、鞍部材２の受け部２０２と垂下部２０１を介して横木４を、棟部Ｈ１の長手方向Ｈ１−１に支持する。以上の作業で、棟部Ｈ１の基礎部が構築されたので、以下のし瓦５と冠瓦１０の葺設を図る。
【００５０】
こののし瓦５の葺設は、瓦Ｒに付設した換気空間形成兼雨水遡上防止用の部材７を利用し、この換気空間形成兼雨水遡上防止用の部材７にリブ片５０３を衝止し、かつのし瓦５の立上部５０１を横木４に緊締する。この状態で、瓦Ｒと垂れ部５０２の下端との間に換気排気通路１３が形成される。また換気空間形成兼雨水遡上防止用の部材７とリブ片５０３との間で、換気口８（空間部５０４）が形成される。こののし瓦５の上には、上の（次の）のし瓦５が葺設されるが、下ののし瓦５の楔傾斜面５０１ａに、上ののし瓦５の楔凹部５０１ｂが被嵌係止（喰込み係止）されることで、この上下ののし瓦５が強固となる。そして、立上部５０１と横木４の緊締は同様である。またこの上ののし瓦５のリブ片５０３は、下ののし瓦５の段付部５０５に衝止されるとともに、垂れ部５０２の下端が、下ののし瓦５の表面５ｃに衝止し、雨水及び／又は風の侵入防止と、耐震強度の向上等が図れる。
【００５１】
以上の作業を繰返して、のし瓦５の葺設が終了した時点で、こののし瓦５と、棟木Ｈ２の上に冠瓦１０を葺設緊締することは、前述の通りである。
【００５２】
次に第二実施例を、図１、図２〜図９〜図１２をもとに説明すると、基本的な構造は、第一実施例と同様であるので、その相違点のみ説明する。この第二実施例は、鞍部材２の架承天板２００の上に、対の横木４の上面挾持片２０００（略溝形）を備えた挾持部材２０を載架する構造であり、この対の上面挾持片２０００と、鞍部材２の受け部２０２を介して横木４を挾持する。これによって、横木４の確実かつ強固な支持を図る。尚、この挾持部材２０は、この支持部材１の天井板部１０２に設けた鞍部材２の架承天板２００に設けられるとともに、ボルト３ａ及び／又はナット３ｂ等の緊締具を介して、緊締固止されるが、この緊締固止の際に、この挾持部材２０の上に棟木Ｈ２が、同時に緊締固止される。このような作業を介して、棟木Ｈ２は、各支持部材１と、各鞍部材２、並びに各挾持部材２０の上に設けられ、かつ棟部Ｈ１の長手方向Ｈ１−１に葺設される。その他の構造及び／又は作用と、特徴は前述の第一実施例に準ずる。
【００５３】
尚、２１は屋根地Ｈの棟部Ｈ１に設けた換気吸込通路で、この換気吸込通路２１は、棟部Ｈ１の長手方向Ｈ１−１に貫設する構成と、間欠式に設ける構造とがあり、その状況と、気候、地域の特性、又は建屋の大きさ、換気の条件等の諸々の条件で決定する。またこの支持部材１と、鞍部材２と、また必要により挾持部材２０とをそれぞれ組合せること、又はこの支持部材１と、鞍部材２と、また必要により挾持部材２０の寸法の異なるものを個別に採用すること等を介して、例えば、棟部Ｈ１及び／又は換気吸込通路２１や、屋根地Ｈ等の大小・形態等に容易に対応できるので、重宝かつ簡便、経済的であること等の実益がある。そして、場合により、支持部材１の脚部１００及び／又は胴体部１０１の調節（拡縮、可変等の操作）のみでも、寸法の異なる各部材を採用することで、棟部Ｈ１及び／又は換気吸込通路２１や、屋根地Ｈ等の大小・形態等に容易に対応できると考えられ、省資源かつ簡便、経済的であること等の有益性を有する。
【図面の簡単な説明】
【００５４】
【図１】図１は各実施例に共通な大棟に本発明を施工した一部欠截の縮尺側面図
【図２】図２は各実施例に共通な隅棟に本発明を施工した一部欠截の縮尺側面図
【図３】図３は第一実施例の要部側面模式図
【図４】図４は第一実施例の換気棟の要部欠截の斜視図
【図５】図５は第一実施例ののし瓦の拡大俯瞰図であり、成形時における左右ののし瓦を一体に成形した状態の図
【図６】図６は第一実施例の支持部材を分解して示した斜視図
【図７】図７は第一実施例の図６の組付け状態を示した斜視図
【図８】図８は第一実施例の図７に示した組付け状態に横木を架承した状態の側面模式図
【図９】図９は第二実施例の要部側面模式図
【図１０】図１０は第二実施例の支持部材を分解して示した斜視図
【図１１】図１１は第二実施例の図１０の組付け状態を示した斜視図
【図１２】図１２は第二実施例の図１１に示した組付け状態に横木を架承した状態の側面模式図
【符号の説明】
【００５５】
１                支持部材
１００            脚部
１０１            胴体部
１０２            天井板部
１０３            孔
２                鞍部材
２００            架承天板
２０１            垂下部
２０２            受け部
２０３            孔
３ａ              ボルト
３ｂ              ナット
４                横木
５                のし瓦
５ａ              一体のし瓦
５ｂ              裏面
５ｃ              表面
５００            のし瓦本体
５０１            立上部
５０１ａ          楔傾斜面
５０１ｂ          楔凹部
５０１ｃ          寸法
５０２            垂れ部
５０２ａ          寸法
５０３            リブ片
５０４            空間部
５０５            段付部
７                換気空間形成兼雨水遡上防止用の部材
８                換気口
１０              冠瓦
１０ａ            裏面
１０００          裾部
１００１          差渡しリブ片
１１              当木
１３              換気排気通路
２０              挾持部材
２０００          上面挾持片
２１              換気吸込通路
Ｈ                屋根地
Ｈ１              棟部
Ｈ１−１          長手方向
Ｈ２              棟木
Ｒ                瓦